(57)【要約】【課題】遊技球関連操作部を取付け可能な取付穴を有する前板構成部材と、該取付け穴が形成されない前板構成部材との両方の作製に使用することができる前板構成部材成形用金型装置を提供すること。【解決手段】遊技機の前面に設けられる前板構成部材の形状のキャビティを、型締時にその内部に形成する一対の金型部材と、上記金型部材に設けられた入れ子取付部に着脱可能に取付けられる第一の入れ子及び第二の入れ子とを備え、上記第一の入れ子が取付けられた上記一対の金型部材を用いることにより、遊技媒体関連操作部の取付穴が設けられた上記前板構成部材を形成することができ、上記第二の入れ子が取付けられた上記一対の金型部材を用いることにより、遊技媒体関連操作部の取付穴が設けられていない上記前板構成部材を形成することができることを特徴とする前板構成部材形成用金型装置。【選択図】      図２
2004267295.tif 000002
【特許請求の範囲】
【請求項１】
遊技機の前面に設けられる前板構成部材の形状のキャビティを、型締時にその内部に形成する一対の金型部材と、
前記金型部材に設けられた入れ子取付部に着脱可能に取付けられる第一の入れ子及び第二の入れ子とを備え、
前記第一の入れ子が取付けられた前記一対の金型部材を用いることにより、遊技媒体関連操作部の取付穴が設けられた前記前板構成部材を形成することができ、前記第二の入れ子が取付けられた前記一対の金型部材を用いることにより、遊技媒体関連操作部の取付穴が設けられていない前記前板構成部材を形成することができることを特徴とする前板構成部材成形用金型装置。
【請求項２】
遊技機の前面に設けられる前板構成部材の形状のキャビティを、型締時にその内部に形成する一対の金型部材と、
前記金型部材に設けられた入れ子取付部に着脱可能に取付けられる入れ子とを備え、
前記入れ子が取付けられた前記一対の金型部材を用いることにより、遊技媒体関連操作部の取付穴が設けられた前記前板構成部材を形成することができ、
前記入れ子が取付けられていない前記一対の金型部材を用いることにより、遊技媒体関連操作部の取付穴が設けられていない前記前板構成部材を形成することができることを特徴とする前板構成部材成形用金型装置。
【請求項３】
遊技機の前面に設けられる前板構成部材の形状のキャビティを、型締時にその内部に形成する一対の金型部材と、
前記金型部材に設けられた入れ子取付部に着脱可能に取付けられる入れ子とを備え、
前記一対の金型部材に取付けた前記入れ子の取付け位置を選択することにより、遊技媒体関連操作部の取付穴が設けられた前記前板構成部材と、遊技媒体関連操作部の取付穴が設けられていない前記前板構成部材とを選択的に形成することができることを特徴とする前板構成部材成形用金型装置。
【請求項４】
請求項１〜３のいずれか１に記載の前板構成部材成形用金型装置を用いて、入れ子の着脱又は移動により、取付穴形成前板構成部材又は取付穴非形成前板構成部材を選択的に成形することを特徴とする前板構成部材の成形方法。
【発明の詳細な説明】
【０００１】
【発明の属する技術分野】
本発明は、遊技機の構成部材を作製する際に用いる前板構成部材成形用金型装置、及び、この金型装置を用いた前板構成部材の成形方法に関する。
【０００２】
【従来の技術】
パチンコ遊技装置等の弾球遊技機としては、現金を用いて遊技球の貸出しを受け、この遊技球を用いて遊技を行うパチンコ遊技装置（以下、現金機ともいう）、プリペイドカードに記録された金額に応じて遊技球の貸出しを受け、この遊技球を用いて遊技を行うパチンコ遊技装置（以下、ＣＲ機ともいう）等がある。
なお、本明細書において、パチンコ遊技装置とは、パチコン機をも含む概念である。
【０００３】
ＣＲ機では、通常、遊技球供給装置を備えており、貸球要求信号に基づいて遊技球を上皿に供給するようにしている。
即ち、ＣＲ機の場合、カード装置が隣接されており、予め金額情報が記録されたプリペイドカードをカード装置に投入し、ＣＲ機に設けられた球貸ボタンを操作することにより遊技球供給装置から所定個数の遊技球が上皿に供給されるようになっている。
さらに、ＣＲ機で遊技を行う遊技者は、カード情報表示部を視認することによりプリペイドカードに記録された金額を確認し、遊技を終了する際には返却ボタンを操作することにより、プリペイドカードの返却を受けることとなる。
従って、ＣＲ機には、球貸ボタンや返却ボタン、カード情報表示部等を備えた遊技媒体関連操作部が備えられている。
【０００４】
一方、現金機で遊技を行う遊技者は、遊技場内に遊技機とは別に設けられた遊技球貸出装置に現金を投入し、この遊技球貸出装置から貸出された遊技球を用いて遊技を行うこととなる。従って、現金機は、通常、遊技球供給装置を備えておらず、遊技媒体関連操作部も設けられていない（例えば、特許文献１参照）。
【０００５】
このような、ＣＲ機及び現金機としては、上述した遊技媒体関連操作部の有無以外は、略同一の外観を有するものが製造されている。
また、弾球遊技機は、多数の樹脂製部品を用いて製造されており、このような樹脂製部品は、例えば、金型装置を用いて射出成形等により作製されている。遊技媒体関連操作部を備える前板構成部材もその一つである。
【０００６】
弾球遊技機の前板構成部材について、簡単に説明する。
図７は、ＣＲ機を模式的に示す正面図である。
図８（ａ）は、図７に示したＣＲ機の前板構成部材の一例を示す正面図であり、（ｂ）はＣＲ機に設けられた遊技媒体関連操作部のみを示す正面図である。
図９は、現金機の前板構成部材の一例を示す正面図である。
図７に示したＣＲ機１１０には、本体枠１１２と、本体枠１１２に組み込まれた遊技盤１１４と、遊技盤１１４の前面に設けられた窓枠１１６と、窓枠１１６の下側で本体枠１１２の前面に設けられた上皿１２０及び下皿１２２と、上皿１２０の両側に設置されたスピーカ１４６と、下皿１２２の右側に設けられた発射ハンドル１２６とが配置されている。また、窓枠１１６の左右の上側にはスピーカ１３６が設置されている。
発射ハンドル１２６は本体枠１１２に対して回動自在に設けられており、遊技者は発射ハンドル１２６を操作することにより遊技球を発射し、パチンコ遊技を進めることができる。
【０００７】
発射された遊技球は、遊技盤１１４上に設けられたガイドレール１３０に案内されて遊技盤１１４の上部に移動し、その後、遊技盤に植設された複数の障害釘（図示せず）との衝突により進行方向を変えながら遊技盤１１４の下方に向かって落下する。遊技盤１１４には、表示装置（図示せず）の画面１３２をその中央に備えた表示部１３３が設けられている。
【０００８】
表示部１３３の左右の上方には、遊技球の落下方向を変化させる転動誘導部材１６０ａ、１６０ｂが設けられている。また、表示部１３３の左下方には始動ゲート１５５が設けられ、遊技盤の左右の下側には入賞口１５６ａ〜１５６ｄが設けられている。表示部１３３の下側には、２つの可動片を有する始動口１４４が設けられており、始動口１４４に遊技球が入ると画面１３２上において複数の変動図柄が変動表示される。始動口１４４の下側に設けられた大入賞口１３８は、上述した複数の変動図柄が所定の入賞態様で停止表示された際に断続的に開放状態となるものである。入賞口１５６、始動口１４４又は大入賞口１３８に遊技球が入ると所定数の遊技球が上皿１２０又は下皿１２２に払い出されることになる。図中、１３５は大当たりランプを示し、１６１は表示部風車を示している。大当たりランプ１３５は遊技状況に応じて点灯又は消灯するものであり、表示部風車１６１は表示部１３３内に遊技球が入った際に回転するものである。
【０００９】
図７に示したＣＲ機１１０では、遊技盤の前方に、窓枠１１６が開閉可能に取付られており、この窓枠１１６の下部に、樹脂製の上皿取付パネル１５０が設けられており、この上皿取付パネル１５０には、上皿１２０、スピーカ口１４６ａ、及び、遊技媒体関連操作部１５１が設けられている（図８（ａ）参照）。
また、遊技媒体関連操作部１５１は、図８（ｂ）に示すように遊技球の貸出しを受けるための球貸ボタン１５２、カードユニットに挿入したプリペイドカードの返却を受けるための返却ボタン１５３、及び、プリペイドカードに記憶された金額を表示するための残高表示部１５４を備えている。
【００１０】
一方、現金機の場合、ＣＲ機と異なり、上皿取付パネルには遊技媒体関連操作部は設けられていない。
具体的には、図９に示すように、上皿取付パネル２５０の遊技媒体関連操作部に相当する部分には、目隠し部材２５１が嵌めこまれている。なお、図中、２２０は上皿、２４６ａはスピーカ口である。
なお、ここで説明した上皿取付パネル１５０、２５０が前板構成部材の一つである。
【００１１】
ＣＲ機や現金機等の弾球遊技機の構成部品のうち、樹脂製の構成部品は、上述したように金型装置を用いて一体成形されている。
また、図８（ａ）及び図９に示したように、ＣＲ機と現金機とにおいて、上皿取付パネルの形状の違いが、遊技媒体関連操作部の有無のみである場合には、通常、同一の金型装置を用いて上皿取付パネルを作製していた。
【００１２】
具体的には、まず、遊技媒体関連操作部を取付けるための取付穴を有する上皿取付パネルを金型装置を用いて作製し、この上皿取付パネルをＣＲ機に使用する場合には、取付穴に遊技媒体関連操作部を取付け、ＣＲ機用の上皿取付パネルとしていた。また、上記取付穴を有する上皿取付パネルを現金機に使用する場合には、遊技媒体関連操作部は不要であるため、取付穴を塞ぐための目隠し部材２５１を別途作製しておき、この目隠し部材２５１を取付穴に嵌めこんで現金機用の上皿取付パネル２５０（図９参照）としていた。
しかしながら、このように目隠し部材を別途作製して、現金機用の上皿取付パネルを作製する場合には、目隠し部材用の金型が必要となるとともに、上皿取付パネルを作製するための工程数が増加するため、経済的に不利であった。
また、上述した方法で上皿取付パネルを作製した場合には、目隠し部材の存在を視認することができるため、その外観は美感に劣ることともなった。
【００１３】
【特許文献１】
特開平７−３０８４４５号公報
【００１４】
【発明が解決しようとする課題】
本発明は、上述したような課題に鑑みてなされたものであり、その目的は、遊技媒体関連操作部を取付けるための取付穴を有する前板構成部材と、該取付穴が形成されない前板構成部材との両方の作製に使用することができる前板構成部材成形用金型装置、及び、該金型装置を用いた前板構成部材の成形方法を提供することにある。
【００１５】
【課題を解決するための手段】
以上のような目的を達成するため、本発明は、取付穴形成前板構成部材と、取付穴非形成前板構成部材との両方を作製することができる前板構成部材成形用金型装置、並びに、上記前板構成部材成形用金型装置を用いた前板構成部材の成形方法を提供する。
【００１６】
本発明は、第一の実施形態に係る前板構成部材成形用金型装置として、以下のようなものを提供する。
（１）遊技機の前面に設けられる前板構成部材の形状のキャビティを、型締時にその内部に形成する一対の金型部材と、
上記金型部材に設けられた入れ子取付部に着脱可能に取付けられる第一の入れ子及び第二の入れ子とを備え、
上記第一の入れ子が取付けられた上記一対の金型部材を用いることにより、遊技媒体関連操作部の取付穴が設けられた上記前板構成部材を形成することができ、上記第二の入れ子が取付けられた上記一対の金型部材を用いることにより、遊技媒体関連操作部の取付穴が設けられていない上記前板構成部材を形成することができることを特徴とする。
【００１７】
さらに、本発明は、第二の実施形態に係る前板構成部材成形用金型装置として、以下のようなものを提供する。
（２）遊技機の前面に設けられる前板構成部材の形状のキャビティを、型締時にその内部に形成する一対の金型部材と、
上記金型部材に設けられた入れ子取付部に着脱可能に取付けられる入れ子とを備え、
上記入れ子が取付けられた上記一対の金型部材を用いることにより、遊技媒体関連操作部の取付穴が設けられた上記前板構成部材を形成することができ、
上記入れ子が取付けられていない上記一対の金型部材を用いることにより、遊技媒体関連操作部の取付穴が設けられていない上記前板構成部材を形成することができることを特徴とする。
【００１８】
さらに、本発明は、第三の実施形態に係る前板構成部材成形用金型装置として、以下のようなものを提供する。
（３）遊技機の前面に設けられる前板構成部材の形状のキャビティを、型締時にその内部に形成する一対の金型部材と、
上記金型部材に設けられた入れ子取付部に着脱可能に取付けられる入れ子とを備え、
上記一対の金型部材に取付けた上記入れ子の取付け位置を選択することにより、遊技媒体関連操作部の取付穴が設けられた上記前板構成部材と、遊技媒体関連操作部の取付穴が設けられていない上記前板構成部材とを選択的に形成することができることを特徴とする。
【００１９】
本発明の前板構成部材成形用金型装置によれば、これを用いることにより、別途、目隠し部材を作製することなく、遊技媒体関連操作部を取付け可能な取付穴が設けられた前板構成部材（取付穴形成前板構成部材）と、上記取付穴が設けられていない前板構成部材（取付穴非形成前板構成部材）との両方を作製することができる。
【００２０】
また、本発明の前板構成部材の成形方法は、以下のようなものを提供する。
（４）上記（１）〜（３）のいずれか１に記載の前板構成部材成形用金型装置を用いて、入れ子の着脱又は移動により、取付穴形成前板構成部材又は取付穴非形成前板構成部材を選択的に成形することを特徴とする。
【００２１】
本発明の前板構成部材の成形方法によれば、一の金型装置を用いて、取付穴形成前板構成部材と取付穴非形成前板構成部材とを選択的に成形することができるため、経済的に有利であるとともに、美観に優れるに取付穴非形成前板構成部材を成形することができる。
【００２２】
【発明の実施の形態】
まず、第一の実施形態に係る前板構成部材成形用金型装置（以下、単に金型装置ともいう）について、図１〜４を参照しながら説明する。また、ここでは、前板構成部材の一つである上皿取付パネルを作製する金型装置を例に第一の実施形態の説明を行う。
【００２３】
図１は、第一の実施形態の金型装置の一例を模式的に示す断面図である。
図２（ａ）は、第一の実施形態の金型装置を構成する金型部材及び入れ子、並びに、第一の実施形態の金型装置により作製される成形体のそれぞれを模式的に示す斜視図であり、（ｂ）は、（ａ）に示した金型部材が開放した状態のＡ−Ａ′線断面図であり、（ｃ）は、（ａ）に示した金型部材が型締した状態のＡ−Ａ′線断面図である。
図３（ａ）は、第一の実施形態の金型装置を構成する金型部材及び入れ子、並びに、第一の実施形態の金型装置により作製される成形体のそれぞれを模式的に示す斜視図であり、（ｂ）は、（ａ）に示した金型部材が開放した状態のＢ−Ｂ′線断面図であり、（ｃ）は、（ａ）に示した金型部材が型締した状態のＢ−Ｂ′線断面図である。
【００２４】
第一の実施形態の金型装置１０は、図１に示すように、一対の金型部材（移動側金型１１及び固定側金型１２）を備えている。移動側金型１１は、移動側取付板１６を介して移動盤１７に固定されており、固定側金型１２は、固定側取付板１８を介して固定盤１９に固定されている。さらに、移動盤１７には型締手段２０が連結されており、この型締手段２０により移動側金型１１、移動側取付板１８及び移動盤１９を移動させ、金型部材１１、１２の開閉を行うことができる。
【００２５】
金型装置１０は、固定盤１７側に射出手段３０が付設されており、射出手段３０の先端に設けられたノズル３１は、固定側取付板１８及び固定側金型１２を介してキャビティ１３と連通している。従って、射出手段３０に充填された溶融樹脂をノズル３１を介して、キャビティ１３内に注入、充填することができる。
また、移動側金型１１及び固定側金型１２のそれぞれには、入れ子取付部１１ａ、１２ａが形成されている。
【００２６】
次に、図２及び図３を参照しながら、上皿取付パネルを作製する場合の一対の金型部材及び入れ子（以下、両者を併せて金型本体ともいう）について説明する。なお、以下の説明においては、取付穴が設けられた上皿取付パネルをＣＲ機用上皿取付パネルといい、上記取付穴に相当する位置が平坦な上皿取付パネルを現金機用上皿取付パネルという。また、ここでいう「平坦」とは、凹部や貫通孔が形成されていないことを意味し、その面は、平面であってもよいし、曲面であってもよい。
【００２７】
ＣＲ機用上皿取付パネル１３Ａを作製する場合の金型本体は、図２（ａ）〜（ｃ）に示すように、移動側金型１１、固定側金型１２、並びに、キャビティ１３と移動側金型１１及び固定側金型１２のそれぞれに形成された入れ子取付部１１ａ、１２ａとを貫通するように移動側金型１１に着脱可能に取付けられた第一の入れ子１４から構成されている。
従って、図２に示した金型本体においては、型締時に第一の入れ子がキャビティ１３内を貫通することとなり、この金型本体を用いて作製した成形体には、遊技媒体関連操作部を取付けるための取付穴が設けられることとなる。
【００２８】
一方、現金機用上皿取付パネル１３Ｂを作製する場合の金型本体は、図３（ａ）〜（ｃ）に示すように、移動側金型１１、固定側金型１２、移動側金型１１に形成された入れ子取付部１１ａに着脱可能に取付けられた入れ子１５ａ、及び、固定側金型１２に形成された入れ子取付部１２ａに着脱可能に取付けられた入れ子１５ｂから構成されている。
ここで、入れ子１５ａは、そのキャビティ側の面が、移動側金型１１のキャビティ側の面と同一面をなすように取付けられており、入れ子１５ｂは、そのキャビティ側の面が、固定側金型１２のキャビティ側の面と同一面をなすように取付けられている。なお、入れ子１５ａと入れ子１５ｂとを併せて第二の入れ子１５ともいう。
【００２９】
従って、図３に示した金型本体を用いて作製した成形体においては、図２に示した実施形態で取付穴が形成される位置に相当する位置は、平坦に形成されることとなる。
また、図２、３では図示していないが、上記入れ子は金型に着脱可能に取付けられており、上記入れ子の固定は、例えば、ボルトやピン等により行われている。
【００３０】
図４（ａ）は、第一の実施形態の金型装置を用いて作製したＣＲ機用上皿取付パネルの正面図であり、（ｂ）は、第一の実施形態の金型装置を用いて作製した現金機用上皿取付パネルの正面図である。
第一の実施形態の金型装置では、図２に示したような第一の入れ子１４を取付けた実施形態の金型本体と、図３に示したような第二の入れ子１５を取付けた実施形態の金型本体とに、第一の入れ子１４と第二の入れ子１５との入れ替えによって切替えることができる。従って、ＣＲ機用上皿取付パネルと現金機用上皿取付パネルとを同一の金型部材を用いて作製することができる。
【００３１】
即ち、第一の入れ子１４を取付けた金型本体を用いて、上皿取付パネルを作製した場合には、図４（ａ）に示したような、その中央付近に遊技媒体関連操作部を取付け可能な取付穴５１が設けられたＣＲ機用上皿取付パネル１３Ａを作製することができる。一方、第二の入れ子１５を取付けた金型本体を用いて、上皿取付パネルを作製した場合には、図４（ｂ）に示したような取付穴が設けられていない現金機用上皿取付パネル１３Ｂを作製することができる。
なお、ＣＲ機用上皿取付パネルに設けられた取付穴には、遊技媒体関連操作部が取付けられた後、製品に使用されることとなる。
また、具体的な成形方法については、後に詳述する。
【００３２】
ここまで説明した第一の実施形態の金型装置は、第一の入れ子と第二の入れ子とを備えており、第一の入れ子と第二の入れ子とを交換することにより、ＣＲ機用上皿取付パネルと現金機用上皿取付パネルとを作製することができる金型本体を有するものである。
本発明の金型装置は、第一の実施形態の金型装置のような第一及び第二の入れ子を備える金型装置ではなく、１種類の入れ子のみを備えるものであってもよい。以下、第二及び第三の実施形態の金型装置について、図面を参照しながら説明する。
なお、第二及び第三の実施形態の金型装置は、第一の実施形態の金型装置と比べて、金型本体（一対の金型部材及び入れ子）の構成が異なるのみであるので、以下の第二及び第三の実施形態の金型装置の説明においては、金型本体についてのみ詳細に説明し、その他の構成部材の説明は省略することとする。
【００３３】
まず、第二の実施形態の金型装置の実施形態について説明する。ここでは、前板構成部材の一つである上皿取付パネルを作製する金型装置を例に第二の実施形態の説明を行う。
図５（ａ）〜（ｄ）は、第二の実施形態の金型装置を構成する金型部材及び入れ子を模式的に示す断面図であって、（ａ）、（ｃ）は、それぞれ金型部材が開放した状態を示し、（ｂ）、（ｄ）は、それぞれ金型部材が型締した状態を示す断面図である。
【００３４】
図５（ａ）、（ｂ）に示した第二の実施形態の金型装置に係る金型本体では、移動側金型２１にのみ入れ子取付部２１ａが設けられており、固定側金型２２には入れ子取付部は設けられていない。
また、第二の実施形態に係る金型本体においては、入れ子２４がキャビティ２３の厚さ分だけ固定側金型２２側へ突出するように、移動側金型２１の入れ子取付部２１ａに取付けられている。
従って、このような入れ子２４が取付けられた金型本体を用いた場合、入れ子２４によって取付穴が形成されることとなるため、ＣＲ機用上皿取付パネルを作製することができる。
【００３５】
また、第二の実施形態に係る金型本体を用いて、現金機用上皿取付パネルを作製する場合には、図５（ｃ）、（ｄ）に示すような、入れ子２４を取り外した形態で作製を行えばよい。
なお、入れ子２４を取り外して現金機用上皿取付パネルの作製を行った場合には、図５（ｄ）に示すように、移動側金型に設けた入れ子取付部が窪んでいることに起因して、成形体である現金機用上皿取付パネルの移動側金型と対向していた面の一部（ＣＲ機用上皿取付パネルに形成された取付穴に相当する位置）には、凸部が形成されることとなる。
しかしながら、この凸部が形成された面は、上皿取付パネルの裏面（弾球遊技機において、遊技者と対向する側の面と反対側の面）となるため、上皿取付パネルとしての美観が損なわれることはなく、本体枠に取付ける際に不都合が発生しない程度の凸部であれば特に問題は発生しない。
このような、１種類の入れ子のみを備える第二の実施形態の金型装置では、入れ子を取付けるか、入れ子を取り外すかを適宜選択することにより、ＣＲ機用上皿取付パネルと現金機用上皿取付パネルとを同一の金型部材を用いて形成することができる。
【００３６】
次に、第三の実施形態の金型装置の実施形態について説明する。ここでは、前板構成部材の一つである上皿取付パネルを作製する金型装置を例に第三の実施形態の説明を行う。
図６（ａ）〜（ｄ）は、第三の実施形態の実施形態の金型装置を構成する金型部材及び入れ子を模式的に示す断面図であって、（ａ）、（ｃ）は、それぞれ金型部材が開放した状態を示し、（ｂ）、（ｄ）は、それぞれ金型部材が型締した状態を示す断面図である。
【００３７】
図６（ａ）、（ｂ）に示した実施形態の金型本体では、移動側金型３１にのみ入れ子取付部３１ａが設けられており、固定側金型３２には入れ子取付部は設けられていない。
また、移動側金型３１に設けられた入れ子取付部３１ａは、その深さが入れ子３４の長さよりも大きくなっている。
なお、本明細書において、入れ子の長さとは、キャビティに垂直な方向の長さをいう。
【００３８】
このような第三の実施形態に係る金型本体を用いて、ＣＲ機用上皿取付パネルを作製する場合には、入れ子３４が移動側金型３１からキャビティ３３の厚さ分だけ固定側金型３２側へ突出するように取付ける。
このような入れ子３４が取付けられた金型本体を用いた場合、入れ子３４によって取付穴が形成されることとなるため，ＣＲ機用上皿取付パネルを作製することができる。
【００３９】
また、本実施形態の金型本体を用いて現金機用上皿取付パネルを作製する場合には、図６（ｃ）、（ｄ）に示すように、入れ子３４のキャビティ３３側の面が、移動側金型３１のキャビティ３４側の面と同一面をなすように取付けた形態で作製を行えばよい。
このような、１種類の入れ子のみを備える第三の実施形態の金型装置では、入れ子の取付位置を適宜選択することにより、ＣＲ機用上皿取付パネルと現金機用上皿取付パネルとを同一の金型部材を用いて形成することができる。
【００４０】
また、ここまでは、本発明の金型装置を用いて作製することができる前板構成部材として、上皿取付パネルを例に説明してきたが、本発明の金型装置を用いて作製することができる前板構成部材は、上皿取付パネルに限定されるわけではなく、遊技媒体関連操作部が取付けられる部材であれば、その他の前板構成部材であってもよい。
具体的には、例えば、窓枠１１６や下皿取付パネル１７０等（図１参照）であってもよい。
また、第一〜第三の実施形態の金型装置は、必要に応じて、適宜、溶融樹脂の硬化を促進するための冷却管等を備えていてもよい。
なお、第一〜第三の実施形態の金型装置を比較した場合、第一の実施形態の金型装置を用いることにより、より精度よく前板構成部材を形成することができる。取付穴形成前板構成部材を形成する際には、型締時に入れ子が移動側金型及び固定型金型の両者により固定されることとなるため、溶融樹脂を供給した際等に入れ子の位置ズレが生じにくく、一方、取付穴非形成前板構成部材を形成する際には、前板構成部材の取付穴の相当する位置の両面を平坦に形成することができるからである。
また、ここでは、本発明の金型装置を用いて形成することができる前板構成部材として、パチンコ台等の弾球遊技機を構成する前板構成部材について説明したが、本発明の金型装置を用いて形成することができる前板構成部材はこれらに限定されるわけではなく、パチスロ遊技装置等を構成する前板構成部材であってもよい。
【００４１】
次に、本発明の前板構成部材の成形方法について説明する。
本発明の成形方法では、第一〜第三の実施形態に係る金型装置を用い、入れ子の着脱又は移動を行うことにより取付穴形成前板構成部材又は取付穴非形成前板構成部材を選択することができる。
まず、第一の実施形態の金型装置を用いた前板構成部材の形成方法について説明する。
例えば、図１に示したように、金型装置１０に射出手段３０を付設し、この射出手段３０によりノズル３１等を介して、金型本体のキャビティ１３内に溶融樹脂を供給し、この溶融樹脂をキャビティ１３内で硬化することにより、前板構成部材を成形することができる。
【００４２】
本発明の成形方法では、取付穴形成前板構成部材及び取付穴非形成前板構成部材のいずれの部材を成形するかに応じて、適宜、所定の入れ子を金型に取付けておくことにより、両者のいずれかを選択的に形成することができる。
なお、ここで用いる射出手段としては特に限定されず、例えば、従来公知の射出成形機を用いることができる。
【００４３】
具体的には、図２、３に示したような第一の入れ子１４及び第二の入れ子１５を含む金型本体を用いて、前板構成部材を成形する場合、まず、キャビティ１３を貫通する第一の入れ子１４を移動側金型１１の入れ子取付部１１ａにボルトやピン等により固定し、その後、型締手段２０により金型部材を型締し、さらに、溶融樹脂をキャビティ内に注入、充填し、続いて該樹脂を硬化する。その後、硬化した樹脂成形体を金型本体から外すことにより、取付穴が設けられた取付穴形成前板構成部材１３Ａを成形することができる。
さらに、第一の入れ子１４を移動側金型１１から取り外し、図３に示したように、第二の入れ子１５ａ、１５ｂを移動側金型１１及び固定側金型１２のそれぞれの入れ子取付部１１ａ、１２ａに、ボルトやピン等により固定し、上記と同様、金型部材の型締、溶融樹脂の注入・充填及び樹脂の硬化を行い、さらに、硬化した樹脂成形体を金型本体から外すことにより、上記取付穴に相当する位置が平坦な取付穴非形成前板構成部材１３Ｂを成形することができる（図１〜３参照）。このように第一の実施形態の金型装置を用いた前板構成部材の成形方法では、第一の入れ子を取付けることにより、遊技媒体関連操作部を取付け可能な取付穴が設けられた上記前板構成部材を形成することができ、上記第二の入れ子を取付けることにより、上記取付穴が設けられていない上記前板構成部材を形成することができる。
【００４４】
次に、第二の実施形態の金型装置を用いた前板構成部材の形成方法について説明する。
図５に示したような、第二の実施形態の金型装置に係る金型本体を用いて前板構成部材を成形する場合には、入れ子２４を移動側金型２１の入れ子取付部２１ａにボルト等により固定し、さらに、金型部材を型締した後、溶融樹脂をキャビティ内に注入、充填し、続いて該樹脂を硬化する。その後、硬化した樹脂成形体を金型本体から外すことにより、取付穴が設けられた取付穴形成前板構成部材を成形することができる。
さらに、入れ子２４を移動側金型２１から取り外し、金型本体が入れ子を含まない形態で、上記と同様、溶融樹脂の注入・充填と樹脂の硬化を行い、さらに、硬化した樹脂成形体を金型本体から外すことにより、上記取付穴に相当する位置が平坦な取付穴非形成前板構成部材を成形することができる。
このように第二の実施形態の金型装置を用いた前板構成部材の成形方法では、上記入れ子を取付けることにより、遊技媒体関連操作部を取付け可能な取付穴が設けられた上記前板構成部材を形成することができ、上記入れ子を取り外すことにより、上記取付穴が設けられていない上記前板構成部材を形成することができる。
【００４５】
次に、第三の実施形態の金型装置を用いた前板構成部材の形成方法について説明する。
図６に示したような、第三の実施形態の金型装置に係る入れ子３４のみを含む金型本体を用いて前板構成部材を成形する場合も、図５に示した金型本体を用いる場合と同様、入れ子３４を移動側金型３１の入れ子取付部３１ａの所定の位置に取付けて、樹脂を成形することにより、取付穴が設けられた取付穴形成前板構成部材を成形することができる。
さらに、入れ子３４を移動させ、入れ子３４のキャビティ３３側の面と、移動側金型３１のキャビティ３３側の面とが同一面となる所定の位置に入れ子３４を再度固定し、この形態の金型本体を用いて樹脂を成形することにより、上記取付穴に相当する位置が平坦な取付穴非形成前板構成部材を成形することができる。
このように第三の実施形態の金型装置を用いた前板構成部材の成形方法では、上記入れ子の取付け位置を選択することにより、遊技媒体関連操作部が取付け可能な取付穴が設けられた上記前板構成部材と、上記取付穴が設けられていない上記前板構成部材とを選択的に形成することができる。
従って、本発明の前板構成部材の成形方法では、取付穴形成前板構成部材と取付穴非形成前板構成部材とを選択的に成形することができる。
【００４６】
本発明の成形方法で使用する前板構成部材の材料としては、熱可塑性樹脂が望ましい。また、熱可塑性樹脂のなかでは、アクリロニトリル−ブタジエン−スチレン共重合体（ＡＢＳ）樹脂を用いることが望ましい。剛性が大きく、耐衝撃性に優れるとともに、成形加工性にも優れるからである。
また、例えば、ポリエチレン、ポリプロピレン等のポリオレフィン系樹脂、ポリ塩化ビニル、ポリ塩化ビニリデン、ポリビニルアルコール、エチレン−酢酸ビニル共重合体、エチレン・ビニルアルコール共重合体等のビニル系樹脂、ポリエチレンテレフタレート、ポリブチレンテレフタレート等のポリエステル樹脂、ポリメタクリル酸メチル、ポリアクリル酸メチル、ポリメタクリル酸エチル等のアクリル系樹脂、ポリスチレン、三酢酸セルロース、セロファン、ポリカーボネート、スチレン系エラストマー、ＰＶＣ系エラストマー、ウレタン系エラストマー、オレフィン系エラストマー等のＡＢＳ樹脂以外の熱可塑性樹脂も用いることができる。
また、本発明の成形方法にて、前板構成部材を成形する際の成形条件、例えば、金型温度や樹脂の射出温度、成形時間、射出圧力等は特に限定されるものではなく、材料樹脂や前板構成部材の形状等を考慮して適宜選択すればよい。
【００４７】
【発明の効果】
本発明の前板構成部材成形用金型装置は、上述した構成からなるため、これを用いることにより、別途、目隠し部材を作製することなく、遊技媒体関連操作部が取付けられる取付穴が設けられた前板構成部材と、上記取付穴の無い前板構成部材との両方を作製することができる。
従って、上記前板構成部材成形用金型装置を用いることにより、低コストで所望の前板構成部材を作製することができ、経済的に有利である。
また、作製した取付穴非形成前板構成部材は、目隠し部材がなく、美観がより優れることとなる。
【００４８】
また、本発明の前板構成部材の接成形方法は、上述したように、一の金型装置を用いて、取付穴形成前板構成部材と取付穴非形成前板構成部材とを選択的に成形することができるため、経済的に有利であるとともに、美観に優れるに取付穴非形成前板構成部材を成形することができる。
【図面の簡単な説明】
【図１】第一の実施形態の金型装置の一例を模式的に示す断面図である。
【図２】（ａ）は、第一の実施形態の金型装置を構成する金型部材及び入れ子、並びに、第一の実施形態の金型装置により作製される成形体のそれぞれを模式的に示す斜視図であり、（ｂ）は、（ａ）に示した金型部材が開放した状態のＡ−Ａ′線断面図であり、（ｃ）は、（ａ）に示した金型部材が型締した状態のＡ−Ａ′線断面図である。
【図３】（ａ）は、第一の実施形態の金型装置を構成する金型部材及び入れ子、並びに、第一の実施形態の金型装置により作製される成形体のそれぞれを模式的に示す斜視図であり、（ｂ）は、（ａ）に示した金型部材が開放した状態のＢ−Ｂ′線断面図であり、（ｃ）は、（ａ）に示した金型部材が型締した状態のＢ−Ｂ′線断面図である。
【図４】（ａ）は、第一の実施形態の金型装置を用いて作製したＣＲ機用上皿取付パネルの正面図であり、（ｂ）は、第一の実施形態の金型装置を用いて作製した現金機用上皿取付パネルの正面図である。
【図５】（ａ）〜（ｄ）は、第二の実施形態の金型装置を構成する金型部材及び入れ子を模式的に示す断面図であって、（ａ）、（ｃ）は、それぞれ金型部材が開放した状態を示し、（ｂ）、（ｄ）は、それぞれ金型部材が型締した状態を示す断面図である。
【図６】（ａ）〜（ｄ）は、第三の実施形態の金型装置を構成する金型部材及び入れ子を模式的に示す断面図であって、（ａ）、（ｃ）は、それぞれ金型部材が開放した状態を示し、（ｂ）、（ｄ）は、それぞれ金型部材が型締した状態を示す断面図である。
【図７】ＣＲ機を模式的に示す正面図であり
【図８】（ａ）は、図７に示したＣＲ機の前板構成部材の一例を示す正面図であり、（ｂ）はＣＲ機に設けられた遊技媒体関連操作部のみを示す正面図である。
【図９】現金機の前板構成部材の一例を示す正面図である。
【符号の説明】
１０  金型装置
１１、２１、３１  移動側金型
１２、２２、３２  固定側金型
１１ａ、１２ａ、２１ａ、３１ａ  入れ子取付部
１３、２３、３３  キャビティ
１３Ａ  ＣＲ機用上皿取付パネル
１３Ｂ  現金機用上皿取付パネル
１４  第一の入れ子
１５  第二の入れ子
１６  移動側取付板
１７  移動盤
１８  固定側取付板
１９  固定盤
２０  型締手段
２４、３４  入れ子
３０  射出手段
３１  ノズル
１５０、２５０  上皿取付パネル
５１  取付穴
１１０  ＣＲ機
１１２  本体枠
１１４  遊技盤
１１６  窓枠
１２０、２２０  上皿
１２２  下皿
１２６  発射ハンドル
１３０  ガイドレール
１３２  画面
１３３  表示部
１３５  大当たりランプ
１３６、１４６  スピーカ
１３７  球誘導部
１３８  大入賞口
１４４  始動口
１４６ａ、２４６ａ  スピーカ口
１５０、２５０  上皿取付パネル
１５１  遊技媒体関連操作部
１５２  球貸ボタン
１５３  返却ボタン
１５４  残高表示部
１５５  始動ゲート
１５６ａ〜１５６ｄ  入賞口
１６０ａ、１６０ｂ  転導誘導部材
１６１  表示部風車
１７０  下皿取付パネル
２５１  目隠し部材
【図１】
2004267295.tif 000003
【図２】
2004267295.tif 000004
【図３】
2004267295.tif 000005
【図４】
2004267295.tif 000006
【図５】
2004267295.tif 000007
【図６】
2004267295.tif 000008
【図７】
2004267295.tif 000009
【図８】
2004267295.tif 000010
【図９】
2004267295.tif 000011